(57)【特許請求の範囲】
【請求項１】
芯糸に対し、互いに撚り合わさっていない状態の多数の飾り糸を、その飾り糸の中間部において、前記芯糸に対し横方向状をなすように保持したモール糸からなり、前記飾り糸が単繊維であるパイルについて、飾り糸の離脱を防止する方法であって、
前記飾り糸として、外周に凹凸を有する横断面形状の０．０３乃至３デニールの単繊維を用い、
前記パイルを、複数条の前記モール糸が、各条のモール糸の芯糸を中心として撚り合わさることにより、その撚り合わさった部分を１本のモール糸状となしたモール状糸体からなるものを用い、そのモール糸状の前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなすものとすることにより、
モール糸からなるパイルからの、飾り糸である単繊維の離脱を防止することを特徴とするパイルの飾り糸離脱防止方法。
【請求項２】
上記撚り合わさった部分が略円柱形状の１本のモール糸状をなし、その略円柱形状の外周面が、上記飾り糸としての単繊維の先端部により形成されている請求項１記載の方法。
【請求項３】
外周に凹凸を有する上記単繊維の横断面形状が、外周に３以上の凸部を有するものである請求項１又は２記載の方法。
【請求項４】
上記単繊維の横断面形状における外周部の凸部の数をｎとした場合に、前記横断面形状の中心に対する隣り合う凸部の周方向中央部同士の間の中心角が、（１０８０／ｎ）度と１８０度の小さい方以下で、（１８０／３ｎ）度以上である請求項３記載の方法。
【請求項５】
上記パイルは、基部が基体に結合され、先端部が自由端であるパイルであり、
前記先端部は、上記芯糸の先端部からほぼ放射状をなすように密設された上記飾り糸としての単繊維の先端部により略凸曲面状をなすものである請求項１乃至４の何れか１項に記載の方法。
【請求項６】
上記パイルは、その基部が基体に結合された状態でループ状をなすパイルである１乃至４の何れか１項に記載の方法。
【請求項７】
芯糸に対し、互いに撚り合わさっていない状態の多数の飾り糸を、その飾り糸の中間部において、前記芯糸に対し横方向状をなすように保持したモール糸からなり、前記飾り糸が単繊維であるパイルであって、
前記飾り糸が、外周に凹凸を有する横断面形状の０．０３乃至３デニールの単繊維であり、
前記パイルが、複数条の前記モール糸が、各条のモール糸の芯糸を中心として撚り合わさることにより、その撚り合わさった部分を１本のモール糸状となしたモール状糸体からなるものであり、そのモール糸状の前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなすものであることにより、
モール糸からなるパイルからの、飾り糸である単繊維の離脱が防止されるものであることを特徴とするパイル。
【請求項８】
上記撚り合わさった部分が略円柱形状の１本のモール糸状をなし、その略円柱形状の外周面が、上記飾り糸としての単繊維の先端部により形成されている請求項７記載のパイル。
【請求項９】
外周に凹凸を有する上記単繊維の横断面形状が、外周に３以上の凸部を有するものである請求項７又は８記載のパイル。
【請求項１０】
上記単繊維の横断面形状における外周部の凸部の数をｎとした場合に、前記横断面形状の中心に対する隣り合う凸部の周方向中央部同士の間の中心角が、（１０８０／ｎ）度と１８０度の小さい方以下で、（１８０／３ｎ）度以上である請求項９記載のパイル。
【請求項１１】
上記パイルは、基部が基体に結合され、先端部が自由端であるパイルであり、
前記先端部は、上記芯糸の先端部からほぼ放射状をなすように密設された上記飾り糸としての単繊維の先端部により略凸曲面状をなすものである請求項７乃至１０の何れか１項に記載のパイル。
【請求項１２】
上記パイルは、その基部が基体に結合された状態でループ状をなすパイルである請求項７乃至１０の何れか１項に記載のパイル。
【発明の詳細な説明】
【技術分野】
【０００１】
本発明は、飾り糸が単繊維であるモール糸からなるパイルを備えたパイルマットの飾り糸離脱防止方法及びそのパイルマットに関する。
【背景技術】
【０００２】
特許第４９４２４３７号公報には、０．３デニールの非吸水性のポリエステルフィラメントからなる単繊維を飾り糸とするモール糸を折り返した２条のモール糸が芯糸を中心として撚り合わさることにより形成されたモール状糸体からなる略円柱形状のパイルと、その略円柱形状のパイルが多数基布上に配設されてなるパイルマットが開示されている。これらの略円柱形状のパイルにおける飾り糸としてのポリエステルフィラメントからなる単繊維は、パイルの軸線を中心としてほぼ径方向に放射状をなすように密設され且つ軸線方向に密設されてなり、パイルの略円柱形状外周面は、各単繊維の先端部により形成されている。
【０００３】
このパイルマットは、吸水性及び乾燥性に優れ、足拭き用マット等として使用されるものであるが、使用により、飾り糸としての単繊維がパイルから離脱して繊維くずや埃等となり、食品や各種製品等の汚染源ともなるおそれがある。また、洗濯により飾り糸としての単繊維がパイルから離脱することも生じる。継続的な使用及び洗濯の繰り返しによりパイルからの前記単繊維の離脱が進むと、残りの単繊維は、より離脱し易くなるので、離脱は加速度的に進行することにもなり得、使用時に離脱して汚染源となり得る単繊維が急増することにも繋がる。
【先行技術文献】
【特許文献】
【０００４】
【特許文献１】特許第４９４２４３７号公報
【発明の概要】
【発明が解決しようとする課題】
【０００５】
本発明は、従来技術における上記のような課題に鑑み行なわれたものであって、その目的とするところは、モール糸からなるパイルを備えたパイルマットにおけるモール糸から飾り糸としての単繊維が離脱して繊維くずや埃等となり、食品や各種製品等の汚染源ともなることが防がれ、モール糸からなるパイルを備えたパイルマットの耐久性、耐洗濯性を効果的に向上させ、そのモール糸からなるパイルを備えたパイルマットが発揮する各種機能が継続使用や繰り返し洗濯に伴い低下することを効果的に防ぐことができるモール糸からなるパイルを備えたパイルマットの飾り糸離脱防止方法及びそのパイルマットを提供することにある。
【課題を解決するための手段】
【０００６】
本発明のモール糸からなるパイルを備えたパイルマットの飾り糸離脱防止方法及びパイルマットは、次のように表すことができる。
【０００７】
(1) 基体と多数のパイルを備えてなり、
前記パイルは、芯糸に対し、互いに撚り合わさっていない状態の多数の飾り糸を、その飾り糸の中間部において、前記芯糸に対し横方向状をなすように保持したモール糸からなり、前記飾り糸が単繊維であり、
前記パイルの基部が前記基体に結合された状態でパイルが基体上に配設されてなるパイルマットについて、飾り糸の離脱を防止する方法であって、
前記飾り糸として、外周に凹凸を有する横断面形状の０．０３乃至３デニールの単繊維を用い、
前記パイルを、複数条の前記モール糸が、各条のモール糸の芯糸を中心として撚り合わさることにより、その撚り合わさった部分を１本のモール糸状となしたモール状糸体からなるものを用い、そのモール糸状の前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなすものとすることにより、
モール糸からなるパイルからの、飾り糸である単繊維の離脱を防止することを特徴とするモール糸からなるパイルを備えたパイルマットの飾り糸離脱防止方法。
【０００８】
複数条のモール糸が、各条のモール糸の芯糸を中心として撚り合わさることにより、その撚り合わさった部分が１本のモール糸状をなし、撚り合わさった部分において、飾り糸としての０．０３乃至３デニールの単繊維が、前記芯糸を中心としてほぼ径方向に放射状をなすように周方向に密設されて内方に向かうほど高密度状態となり且つ軸線方向に密設された状態をなすものとすると共に、前記飾り糸としての０．０３乃至３デニールの単繊維を、外周に凹凸を有する横断面形状の単繊維とする。これにより、そのモール状糸体からなる多数のパイルを備えたパイルマットを継続的に使用したり、そのパイルマットに対し家庭用洗濯機による洗濯やその他の洗濯又はクリーニングを繰り返し施した場合において、そのパイルを構成するモール状糸体の前記撚り合わさった部分から飾り糸としての０．０３乃至３デニールの単繊維が離脱することがより効果的に防止される。
【０００９】
そのため、モール状糸体からなる多数のパイルを備えたパイルマットを使用している間にモール状糸体から飾り糸としての０．０３乃至３デニールの単繊維が離脱して繊維くずや埃等となり、食品や各種製品等の汚染源ともなることが防がれ、そのパイルマットの耐久性、耐洗濯性を効果的に向上させ、そのパイルマットにおけるパイルの肌触りやクッション性又はその他の各種機能が継続使用や繰り返し洗濯に伴い低下することをより効果的に防ぐことができる。
【００１０】
(2) 上記撚り合わさった部分が略円柱形状の１本のモール糸状をなし、その略円柱形状の外周面が、上記飾り糸としての単繊維の先端部により形成されている上記(1)記載の方法。
【００１１】
(3) 外周に凹凸を有する上記単繊維の横断面形状が、外周に３以上の凸部を有するものである上記(1)又は(2)記載の方法。
【００１２】
この場合、モール状糸体又はそれを有する物品に対し家庭用洗濯機による洗濯やその他の洗濯又はクリーニングを繰り返し施した場合において、そのモール状糸体から飾り糸としての単繊維が離脱することが効果的に防止される。
【００１３】
(4) 上記単繊維の横断面形状における外周部の凸部の数をｎとした場合に、前記横断面形状の中心に対する隣り合う凸部の周方向中央部同士の間の中心角が、（１０８０／ｎ）度と１８０度の小さい方以下で、（１８０／３ｎ）度以上である上記(3)記載の方法。
【００１４】
この場合、モール状糸体又はそれを有する物品に対し家庭用洗濯機による洗濯やその他の洗濯又はクリーニングを繰り返し施した場合において、そのモール状糸体から飾り糸としての単繊維が離脱することが効果的に防止される。
【００１５】
(5) 上記パイルの少なくとも一部は、基部が上記基体に結合され、先端部が自由端であるパイルであり、
前記先端部は、上記芯糸の先端部からほぼ放射状をなすように密設された上記飾り糸としての単繊維の先端部により略凸曲面状をなすものである上記(1)乃至(4)の何れか１項に記載の方法。
【００１６】
(6) 上記パイルの少なくとも一部は、その基部が基体に結合された状態でループ状をなすパイルである上記(1)乃至(4)の何れか１項に記載の方法。
【００１７】
(7) 基体と多数のパイルを備えてなり、
前記パイルは、芯糸に対し、互いに撚り合わさっていない状態の多数の飾り糸を、その飾り糸の中間部において、前記芯糸に対し横方向状をなすように保持したモール糸からなり、前記飾り糸が単繊維であり、
前記パイルの基部が前記基体に結合された状態でパイルが基体上に配設されてなるパイルマットであって、
前記飾り糸が、外周に凹凸を有する横断面形状の０．０３乃至３デニールの単繊維であり、
前記パイルが、複数条の前記モール糸が、各条のモール糸の芯糸を中心として撚り合わさることにより、その撚り合わさった部分を１本のモール糸状となしたモール状糸体からなるものであり、そのモール糸状の前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなすものであることにより、
モール糸からなるパイルからの、飾り糸である単繊維の離脱が防止されるものであることを特徴とするパイルマット。
【００１８】
複数条のモール糸が、各条のモール糸の芯糸を中心として撚り合わさることにより、その撚り合わさった部分が１本のモール糸状をなし、撚り合わさった部分において、飾り糸としての０．０３乃至３デニールの単繊維が、前記芯糸を中心としてほぼ径方向に放射状をなすように周方向に密設されて内方に向かうほど高密度状態となり且つ軸線方向に密設された状態をなすものとすると共に、前記飾り糸としての０．０３乃至３デニールの単繊維を、外周に凹凸を有する横断面形状の単繊維とする。これにより、そのモール状糸体からなる多数のパイルを備えたパイルマットを継続的に使用したり、そのパイルマットに対し家庭用洗濯機による洗濯やその他の洗濯又はクリーニングを繰り返し施した場合において、そのパイルを構成するモール状糸体の前記撚り合わさった部分から飾り糸としての０．０３乃至３デニールの単繊維が離脱することがより効果的に防止される。
【００１９】
そのため、モール状糸体からなる多数のパイルを備えたパイルマットを使用している間にモール状糸体から飾り糸としての０．０３乃至３デニールの単繊維が離脱して繊維くずや埃等となり、食品や各種製品等の汚染源ともなることが防がれ、そのパイルマットの耐久性、耐洗濯性を効果的に向上させ、そのパイルマットにおけるパイルの肌触りやクッション性又はその他の各種機能が継続使用や繰り返し洗濯に伴い低下することをより効果的に防ぐことができる。
【００２０】
(8) 上記撚り合わさった部分が略円柱形状の１本のモール糸状をなし、その略円柱形状の外周面が、上記飾り糸としての単繊維の先端部により形成されている上記(7)記載のパイルマット。
【００２１】
(9) 外周に凹凸を有する上記単繊維の横断面形状が、外周に３以上の凸部を有するものである上記(7)又は(8)記載のパイルマット。
【００２２】
この場合、モール状糸体又はそれを有する物品に対し家庭用洗濯機による洗濯やその他の洗濯又はクリーニングを繰り返し施した場合において、そのモール状糸体から飾り糸としての単繊維が離脱することが効果的に防止される。
【００２３】
(10) 上記単繊維の横断面形状における外周部の凸部の数をｎとした場合に、前記横断面形状の中心に対する隣り合う凸部の周方向中央部同士の間の中心角が、（１０８０／ｎ）度と１８０度の小さい方以下で、（１８０／３ｎ）度以上である上記(9)記載のパイルマット。
【００２４】
この場合、モール状糸体又はそれを有する物品に対し家庭用洗濯機による洗濯やその他の洗濯又はクリーニングを繰り返し施した場合において、そのモール状糸体から飾り糸としての単繊維が離脱することが効果的に防止される。
【００２５】
(11) 上記パイルの少なくとも一部は、基部が上記基体に結合され、先端部が自由端であるパイルであり、
前記先端部は、上記芯糸の先端部からほぼ放射状をなすように密設された上記飾り糸としての単繊維の先端部により略凸曲面状をなすものである上記(7)乃至(10)の何れか１項に記載のパイルマット。
【００２６】
(12) 上記パイルの少なくとも一部は、その基部が基体に結合された状態でループ状をなすパイルである上記(7)乃至(10)の何れか１項に記載のパイルマット。
【発明の効果】
【００２７】
本発明のモール糸からなるパイルを備えたパイルマットの飾り糸離脱防止方法及びパイルマットによれば、モール状糸体又はそれを有する物品を様々な用途に継続的に使用したり、モール状糸体又はそれを有する物品に対し家庭用洗濯機による洗濯やその他の洗濯又はクリーニングを繰り返し施した場合において、そのモール状糸体から飾り糸としての０．０３乃至３デニールの単繊維が離脱することが効果的に防止される。
【００２８】
そのため、パイルマットを使用している間にモール状糸体から飾り糸としての０．０３乃至３デニールの単繊維が離脱して繊維くずや埃等となり、食品や各種製品等の汚染源ともなることが防がれ、パイルマットの耐久性、耐洗濯性を効果的に向上させ、そのパイルマットにおけるパイルの肌触りやクッション性又はその他の各種機能が継続使用や繰り返し洗濯に伴い低下することを効果的に防ぐことができる。
【図面の簡単な説明】
【００２９】
【図１】模式的正面図である。
【図２】パイルの模式的拡大横断面図である。
【図３】モール糸によりパイルを形成する工程の一部を示す模式図である。
【図４】飾り糸としての単繊維の横断面形状を示す模式図である。
【図５】他の飾り糸としての単繊維の横断面形状を示す模式図である。
【図６】他の飾り糸としての単繊維の横断面形状を示す模式図である。
【発明を実施するための形態】
【００３０】
[1] 本発明の実施の形態
【００３１】
本発明の実施の形態を、図面を参照しつつ説明する。
【００３２】
図面は、何れも本発明のパイルマットの実施の形態の一例としての吸水パイルマットについてのものである。
【００３３】
(1) この吸水パイルマットＡは、吸水性を有する基布Ｓ（基体）と多数の略円柱形状のパイルＰ（モール状糸体）を備えてなり、前記各パイルＰの基部（図１における下端部）が基布Ｓに結合された状態で、前記多数のパイルＰが基布Ｓ上に配設されているものである。
【００３４】
(2) この吸水パイルマットＡにおける多数のパイルＰは、１デニールのポリエステル繊維の単繊維Ｆを飾り糸とし、２本の５０デニールのポリエステル繊維のモノフィラメント糸を芯糸として用いた強撚（５００Ｔ／ｍ）のモール糸Ｍにより、次のように形成することができる。
【００３５】
すなわち、前記強撚モール糸Ｍを張力がかかった状態で吸水性を有する基布Ｓ（基体）の裏側から表側（図３における上側）へ貫通させることにより、基布Ｓの表側において強撚モール糸Ｍを二つ折り状に突出させ、突出した強撚モール糸Ｍの先端部である折り返し部に対し、突出の向きに引張力を作用させ、二つ折り状に突出した強撚モール糸Ｍの張力を維持した後、その引張力を解除することにより、強撚モール糸Ｍが自ら撚り合わさって１本のパイル状のモール状糸体となる。これを熱処理することにより、撚り合わさった状態の強撚モール糸Ｍが更に強く自ら撚り合わさり、芯糸Ｃを中心として略円柱形状をなし、パイルＰの先端部Ｐａが放射状の単繊維Ｆの先端部により略凸曲面形状をなす多数のパイルＰを形成することができる。
【００３６】
(3) 飾り糸としての単繊維Ｆの横断面形状は、図４に示すように、短軸と長軸の比が２：５程度の略楕円形状の外周部に、底辺が短軸の半分程度で高さが短軸の３分の１程度の略三角形状の葉状の突起部Ｆａをほぼ等間隔に有する扁平多葉形状である。他の飾り糸としての単繊維の横断面形状の例として、図５に示すように円形の外周部に周方向等間隔おきに略三角形状の一定の突起部が形成された形状、図６に示すように円形の外周部に周方向等間隔おきに略方形状の一定の突起部が形成された形状を挙げることができるがこれに限るものではない。
【００３７】
(4) 基部が基布Ｓに結合された各パイルＰは、基部から先端部に至るまで略円柱形状（模式図である図１に示すように直立することを要するものではなく、一般的にある程度屈曲し易い。）をなし、その軸線に沿う疎水性繊維（吸水性に乏しい繊維）のモノフィラメント糸からなる芯糸Ｃにより、１デニールの極めて細い多数のポリエステル繊維のフィラメントからなる単繊維Ｆ（２０℃相対湿度６５％において吸水率が５％以下の疎水性繊維［吸水性に乏しい繊維］。以下同じ。）が、パイルＰの軸線を中心としてほぼ径方向に放射状をなすように密設され且つ軸線方向に密設された状態で保持されてなり、パイルＰの略円柱形状外周面は単繊維Ｆの先端部により形成されている。なお、飾り糸としての単繊維Ｆの長さは約６ｍｍである。
【００３８】
(5) この吸水パイルマットＡを継続的に使用したり、家庭用洗濯機による洗濯やその他の洗濯又はクリーニングを繰り返し施した場合において、そのパイルＰ（モール状糸体）から飾り糸としての１デニールの単繊維が離脱することが効果的に防止される。
【００３９】
(6) パイルＰの先端部Ｐａは、芯糸Ｃにより保持されて放射状をなすよう密設された多数の１デニールのポリエステル繊維の単繊維Ｆにより形成されて略凸曲面形状をなし、その略凸曲面は、それらの単繊維Ｆの先端部により形成されている。
【００４０】
(7) パイルＰの軸線に沿う芯糸Ｃは、２本の５０デニールのポリエステル繊維のモノフィラメント糸（２０℃相対湿度６５％において吸水率が５％以下の疎水性繊維。以下同じ。）が２組撚り合わさっている。
【００４１】
(8) このパイルＰの先端部Ｐａにおいては、三次元的に内方（例えば上向きに凸の略半球であればその略半球の底面中央部）に向かって前記極細疎水性単繊維Ｆの密度が高くなって毛管現象により強い吸水力が作用し、先端部Ｐａ以外の略円柱形状部分においては径方向内方に向かって極細疎水性単繊維Ｆの密度が高くなって毛管現象により強い吸水力が作用する。そのため、各パイルＰは、比較的多量の水を径方向内方に向かって迅速に吸水し得る。
【００４２】
逆に、吸水したパイルＰの先端部Ｐａの略凸曲面状外周部やパイルＰの略円柱形状外周部は、毛管現象により、水分含有率が低い状態となる。而も、パイルＰの先端部Ｐａの略凸曲面状外周部やパイルＰの略円柱形状外周面部は、疎水性繊維の単繊維Ｆの先端部により形成されているので、繊維が占める面積が比較的小さく、且つ、繊維自体が非湿潤状態を維持する。
【００４３】
更に、各パイルＰは、その軸線に沿う、疎水性繊維のモノフィラメント糸からなる芯糸Ｃを有するので、各パイルＰにおいて、毛管現象により先端部Ｐａの内方や径方向内方に吸収された水分は、芯糸Ｃに沿って、吸水性を有する基布Ｓへ効率的に導かれる。
【００４４】
そのため、各パイルＰの先端部Ｐａの内方や各パイルＰの径方向内方に吸収された水分がパイルＰの径方向中央部に滞留することが防がれると共に、パイルＰの先端部Ｐａの略凸曲面状外周部から内方へ又はパイルＰの略円柱形状外周面部から径方向内方への更なる吸水を妨げることや、パイルＰの先端部Ｐａの略凸曲面状外周部やパイルＰの略円柱形状外周面部にべとつき感が生じることが防がれる。
【００４５】
(9) なお、図１乃至図６は、何れも説明のための模式図であり、実物を示したものではない。
【００４６】
(10) 試験例
【００４７】
飾り糸としての単繊維が、横断面形状がほぼ円形である１デニールのポリエステル繊維であること以外は、上記の例の吸水パイルマットＡ（縦４５０ｍｍ、横６００ｍｍのパイルマット、パイルＰの長さは約２２ｍｍ、パイルＰの本数は約３０００本、パイルＰ１本当りの単繊維Ｆの本数は約９０，０００本）と同じである比較吸水パイルマットについて、それぞれ、洗濯試験（JIS L 0217 103法 吊干し １０回繰り返し）を行なったところ、飾り糸としての単繊維の脱毛率は、比較吸水パイルマットにおいて０．０７５％であるのに対し、吸水パイルマットＡでは０．０５１％と３割以上改善され、脱毛する単繊維Ｆの本数は約１２万本低減された。
【００４８】
[2] 上記以外の形態を含めた本発明の実施の形態
【００４９】
本発明の実施の形態を、上記以外の形態を含めて更に説明する。
【００５０】
本発明におけるモール状糸体は、外周に凹凸を有する横断面形状の０．０３乃至３デニールの単繊維を飾り糸として芯糸に対し保持し、前記飾り糸としての単繊維が、前記芯糸を中心としてほぼ径方向に放射状をなすように周方向に密設されて内方に向かうほど高密度状態となり且つ軸線方向に密設された状態をなし、前記飾り糸としての単繊維の離脱が防止されるものである。
【００５１】
また本発明におけるモール状糸体は、飾り糸が外周に凹凸を有する横断面形状の０．０３乃至３デニールの単繊維である複数条のモール糸が、各条のモール糸の芯糸を中心として撚り合わさることにより、その撚り合わさった部分が１本のモール糸状をなし、前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなし、前記飾り糸としての単繊維の離脱が防止されるものとすることができる。
【００５２】
本発明のパイルマットは、基体とパイルを備えてなるパイルマットであって、前記パイルは、モール状糸体からなり、そのパイルの基部は基体に結合された状態で基体上に配設されてなるものである。
【００５３】
(1) 本発明におけるモール状糸体は、芯糸に対し、互いに撚り合わさっていない状態の多数の飾り糸を、その飾り糸の中間部において、前記芯糸に対し横方向状をなすように保持したものである。
【００５４】
(1-1) 芯糸に保持される多数の飾り糸、すなわち飾り糸としての単繊維は、互いに撚り合わさっていない状態で、その中間部において芯糸に保持されている。すなわち、多数の飾り糸としての単繊維が、撚により集束されていない状態で芯糸に保持されている。それらの飾り糸は、芯糸に保持されている部分以外は基本的に互いに独立性があることが望ましい。飾り糸のうち芯糸に保持される中間部は、飾り糸の長さ方向の一定位置であること、特に中央位置であることが望ましい。
【００５５】
(1-2) 飾り糸が芯糸に対し横方向状をなすというのは、芯糸に保持された飾り糸の長さ方向が、芯糸の長さ方向に対し６０乃至９０度程度の角度をなす状態、好ましくは７０乃至９０度、より好ましくは８０乃至９０度若しくは８５乃至９０度の角度をなす状態を意味する。
【００５６】
(1-3) 芯糸に対する飾り糸の保持としては、例えば、複数本の芯糸同士の間（例えば、相互に撚り状態にある複数本の芯糸同士の間）に挟み込む力による保持、１又は好ましくは２本以上の芯糸に対する接着又は融着等の固着物質の固着力による保持、又は、両者の併用（複数本の芯糸同士の間に挟み込む力と、固着物質の固着力による保持の併用）が可能である。
【００５７】
固着物質の固着力による保持を行う場合においては、例えば芯糸として熱融着糸を用い、熱処理により芯糸を融着することができる。
【００５８】
(1-4) 多数の飾り糸は、芯糸の長さ方向において満遍なく又は間隔おきに保持されたものとすることができる。間隔おきの保持としては、多数の飾り糸からなる飾り糸群が芯糸の長さ方向において一定間隔おきに又は可変間隔おきに保持された場合を挙げることができる。相互に撚り状態にある複数本の芯糸同士の間に飾り糸を保持する場合は、例えば、その撚り数に応じた一定間隔おきに飾り糸が保持されたものとすることができる。
【００５９】
(1-5) 飾り糸としての単繊維の繊度は、好ましくは０．０３乃至２デニール、より好ましくは０．０３乃至１．５デニールであり、１．２デニール以下、１デニール以下、又は０．８デニール以下とすることもできる。
【００６０】
(1-6) 飾り糸としての単繊維の長さは、例えば３乃至３０ｍｍとすることができるがこれに限るものではない。また、飾り糸としての単繊維の長さは一定であることが望ましいがこれに限るものではない。
【００６１】
(1-7) 飾り糸としての単繊維は、例えば、ポリエステル系繊維、ポリプロピレン系繊維、ポリエチレン系繊維、ポリアミド系繊維等のフィラメントからなるものとすることができるが、これに限るものではない。
【００６２】
(1-8) 芯糸としては、例えば、１０乃至３００デニールのモノフィラメント糸、紡績糸、又はマルチフィラメント撚糸を挙げることができるが、これに限るものではない。前記熱融着糸を用いることもできる。芯糸の素材としては、例えば、ポリエステル系繊維、ポリプロピレン系繊維、ポリエチレン系繊維、ポリアミド系繊維を挙げることができるが、これに限るものではない。
【００６３】
(1-9) モール状糸体における飾り糸は、外周に凹凸を有する横断面形状の０．０３乃至３デニールの単繊維である。
【００６４】
飾り糸としての単繊維の横断面形状は、外周に凹凸（すなわち凹部と凸部）を有する横断面形状である。
【００６５】
好ましい態様としては、外周に３以上の凸部を有するものを挙げることができる。その場合、単繊維の横断面形状の外周における凸部同士の間に１以上の凹部が存在するものとすることができる。
【００６６】
単繊維の横断面形状は、任意の横断面において実質上同一であるものとすることができるが、必ずしもこれに限るものではない。
【００６７】
単繊維の横断面形状の外周における凸部の突出寸法は、例えば、その横断面の外接円の直径の３％以上５０％以下とすることができる。好ましくは、５乃至１０％以上５０％以下である。
【００６８】
飾り糸としての単繊維の横断面形状の具体的な例としては、中心点から３以上（好ましくは４若しくは５以上）の方向（例えば等中心角毎の３以上の方向）に突起する形状、正多角形等の所定の多角形からその各辺を底辺とする略二等辺三角形等の略三角形状の突起が形成された形状、円形・楕円形若しくは略楕円形（例えば短軸と長軸の比が１：５乃至３：５程度の比較的細長い楕円形）・長方形（例えば縦横の比が１：５乃至３：５程度の比較的細長い長方形）・正多角形等の所定の多角形の外周部に周方向間隔おき（例えば等間隔おき又は等中心角毎）に例えば略三角形状・略方形状・略台形状等の一定の又は複数種若しくは多様な突起部が３以上（好ましくは４若しくは５以上）形成された形状を挙げることができ、いわゆる星形や扁平多葉形状も含まれる。これらの場合、突起部同士の間の部分を凹部とすることができる。
【００６９】
単繊維の横断面形状における外周部の凸部の数をｎとした場合に、前記横断面形状の中心に対する隣り合う凸部の周方向中央部同士の間の中心角が、（１０８０／ｎ）度と１８０度の小さい方以下で、（１８０／３ｎ）度以上であるものとすることができる。
【００７０】
また、前記横断面形状における隣り合う凸部同士の中心角は、
（９００／ｎ）度と１５０度の小さい方以下で（１８０／２ｎ）度以上、
（７２０／ｎ）度と１２０度の小さい方以下で（１２０／ｎ）度以上、
或いは、
（５４０／ｎ）度と９０度の小さい方以下で（１８０／ｎ）度以上とすることができる。
【００７１】
(1-10) モール状糸体においては、飾り糸としての単繊維が、０．０３乃至３デニールで外周に凹凸を有する横断面形状の単繊維であり、而も、芯糸を中心としてほぼ径方向に放射状をなすように周方向に密設されて内方に向かうほど高密度状態となり且つ軸線方向に密設された状態をなす。
【００７２】
そのため、前記飾り糸としての単繊維は、モール状糸体からの離脱が効果的に防止される。
【００７３】
(1-11)モール状糸体は、略円柱形状をなし、その略円柱形状の外周面が、上記飾り糸としての単繊維の先端部（すなわち、芯糸を中心としてほぼ径方向に放射状をなすように周方向に密設された単繊維の先端部）により形成されているものとすることができる。
【００７４】
この場合、飾り糸としての単繊維の長さは一定であることが望ましい。また、飾り糸のうち芯糸に保持される中間部は、飾り糸の長さ方向の一定位置、特に中央位置であることが望ましい。
【００７５】
(2) 本発明におけるモール状糸体は、複数条のモール糸が、各条のモール糸の芯糸を中心として撚り合わさることにより、その撚り合わさった部分が１本のモール糸状をなすものとすることができる。
【００７６】
(2-1) この場合のモール糸は、芯糸に対し、互いに撚り合わさっていない状態の多数の飾り糸を、その飾り糸の中間部において、前記芯糸に対し横方向状をなすように保持したモール糸であって、前記飾り糸が、外周に凹凸を有する横断面形状の０．０３乃至３デニールの単繊維であるものからなるものである。このモール糸における飾り糸及び芯糸に関する事項は、「[2] 上記以外の形態を含めた本発明の実施の形態」における、(1-1)乃至(1-9)に記載の事項と同様である。
【００７７】
(2-2) 複数条のモール糸が、各条のモール糸の芯糸を中心として撚り合わさることにより、その撚り合わさった部分が１本のモール糸状をなす態様としては、例えば、前記モール糸が折り返されて複数条に形成された部分および／または個別の複数条の前記モール糸が、各条のモール糸の芯糸を中心として撚り合わさることにより、或いは、そのように撚り合わさったものが折り返されて複数条に形成された部分および／または個別の複数条の前記モール糸が、各条のモール糸の芯糸を中心として撚り合わさることによりその撚り合わさった部分が１本のモール糸状をなす態様を挙げることができる。
【００７８】
上記モール糸が折り返された２条のモール糸が、各条のモール糸の芯糸を中心として撚り合わさった場合、その撚り合わさった部分が、折り返された箇所を自由端とする１本のモール糸状をなし、前記自由端部は、上記芯糸の先端部からほぼ放射状をなすように密設された上記飾り糸としての単繊維の先端部により略凸曲面状をなすものとすることができる。
【００７９】
(2-3) モール状糸体、特に複数条の上記モール糸が、各条のモール糸の芯糸を中心として撚り合わさって１本のモール糸状をなす部分、においては、飾り糸としての単繊維が、０．０３乃至３デニールで外周に凹凸を有する横断面形状の単繊維であり、而も、前記芯糸を中心としてほぼ径方向に放射状をなすように周方向に密設されて内方に向かうほど高密度状態となり且つ軸線方向に密設された状態をなす。
そのため、前記飾り糸としての単繊維は、モール状糸体からの離脱がより効果的に防止される。
【００８０】
(2-4) 複数条の上記モール糸が、各条のモール糸の芯糸を中心として撚り合わさって１本のモール糸状をなす部分は、略円柱形状をなし、その略円柱形状の外周面が、上記飾り糸としての単繊維の先端部（すなわち、芯糸を中心としてほぼ径方向に放射状をなすように周方向に密設された単繊維の先端部）により形成されているものとすることができる。
【００８１】
この場合、複数条の前記モール糸における飾り糸としての単繊維の長さは一定であることが望ましい。また、飾り糸のうち芯糸に保持される中間部は、飾り糸の長さ方向の一定位置、特に中央位置であることが望ましい。
【００８２】
(3) 上記モール状糸体における飾り糸としての単繊維が吸水性に乏しいものとすることにより、毛管現象により内方に向かう吸水力が作用するものとすることができる。好ましくは、モール状糸体（複数条のモール糸が、各条のモール糸の芯糸を中心として撚り合わさることにより、１本のモール糸状をなす部分を含む）が略円柱形状をなし、その略円柱形状の外周面が、飾り糸としての単繊維の先端部により形成されている場合である。
【００８３】
(3-1) 飾り糸としての単繊維が、芯糸を中心としてほぼ径方向に放射状をなすように周方向に密設されて内方に向かうほど高密度状態となり且つ軸線方向に密設された状態をなし、前記単繊維は、外周に凹凸を有する横断面形状の０．０３乃至３デニールの吸水性に乏しい単繊維であるため、毛管現象により、その内方に向かって強い吸水力が作用し、比較的多量の水を内方に向かって迅速に吸水し得る。
【００８４】
このように吸水したモール状糸体の外周部は、毛管現象により、水分含有率が低い状態となり、而も、同外周面部は、吸水性に乏しい単繊維の先端部により形成されているので、繊維が占める面積が比較的小さく、且つ繊維自体が非湿潤状態を維持する。そのため、水分を吸収した状態の前記外周面部は比較的乾燥した状態を維持し易く、べとつき感が生じにくい。
【００８５】
モール状糸体又はそれを有する物品に対し家庭用洗濯機による洗濯やその他の洗濯又はクリーニングを繰り返し施した場合において、そのモール状糸体から飾り糸としての吸水性に乏しい０．０３乃至３デニールの単繊維が離脱することが効果的に防止されるので、モール状糸体において作用する、毛管現象により内方に向かう吸水効果の低下や、水分と共に汚れを吸収する場合における清掃効果の低下等を効果的に防ぐことができる。
【００８６】
(3-2) 吸水性に乏しい単繊維の吸水率としては、２０℃相対湿度６５％において、例えば３％以下とすることができる。好ましくは、２０℃相対湿度６５％において２％以下、より好ましくは１％以下である。そのような単繊維としては、例えば、ポリエステル系繊維、ポリプロピレン系繊維、ポリエチレン系繊維、ポリアミド系繊維等のフィラメントからなるものとすることができ、必要に応じ、全単繊維又は一部の単繊維の全体又は部分に各種界面活性剤等により親水化処理を施すこともできる。
【００８７】
(3-3) 単繊維の繊度は、好ましくは０．０３乃至２デニール、より好ましくは０．０３乃至１．５デニールであり、１．２デニール以下、１デニール以下、又は０．８デニール以下とすることもできる。
【００８８】
(3-4) この場合の飾り糸としての単繊維は、前記撚り合わさった部分の軸線方向長１ｃｍ当り、例えば１万乃至２５万本程度（単繊維の繊度の大小に応じ、本数は、それぞれ少な目及び多目とすることができる。単繊維が０．７デニールの場合、撚り合わさった部分の軸線方向長１ｃｍ当り、例えば５万本程度。）が、その撚り合わさった部分の軸線を中心としてほぼ径方向に放射状をなすように密設され且つ軸線方向に密設されたものとすることができる。
【００８９】
(4) 本発明のパイルマットにおけるパイルは、モール状糸体からなり、そのパイルの基部が基体に結合された状態で基体上に配設されたものである。
【００９０】
本発明のパイルマットは、モール状糸体からなるパイルを多数備えるものとすることができ、それらのパイルは、全て同種のものとすることができる他、複数種のパイルを組み合わせることもできる。
【００９１】
(4-1) 本発明のパイルマットにおけるパイルの一例としては、基部が基体に結合され、先端部が自由端であるパイルであり、前記先端部が、芯糸の先端部からほぼ放射状をなすように密設された飾り糸としての単繊維の先端部により略凸曲面状をなすものを挙げることができる。
【００９２】
このようなパイルは、モール糸が折り返された２条のモール糸が、各条のモール糸の芯糸を中心として撚り合わさり、その撚り合わさった部分が、折り返された箇所を先端端とする１本のモール糸状をなし、前記先端部は、上記芯糸の先端部からほぼ放射状をなすように密設された上記飾り糸としての単繊維の先端部により略凸曲面状をなすものとすることができる。
【００９３】
(4-2) 本発明のパイルマットにおけるパイルの他の例としては、基部が基体に結合された状態でループ状をなすパイルを挙げることができる。
【００９４】
(5) 本発明のパイルマットにおける基体は、織布、不織布等の基布とするのが一般的であるが、必ずしもこれに限らない。
【符号の説明】
【００９５】
Ａ    パイルマット
Ｃ    芯糸
Ｆ    単繊維
Ｆａ  突起部
Ｍ    モール糸
Ｐ    パイル
Ｐａ  先端部
Ｒ    ループ部
Ｓ    基布
【図１】
0006552531.tif 000002
【図２】
0006552531.tif 000003
【図３】
0006552531.tif 000004
【図４】
0006552531.tif 000005
【図５】
0006552531.tif 000006
【図６】
0006552531.tif 000007